(57)【要約】【課題】サーバに接続されている装置の接続関係を容易に判別できるようにする。【解決手段】ラック１の前面に、各ユニットと対応するようにＬＥＤ１７−０１乃至１７−１９が設置される。ラック１は、表示部１８、入力部１９の背面に、このＬＥＤ１７−０１乃至１７−１９を点灯させるためのＬＥＤ点灯回路を備える。また、ＬＥＤ点灯回路は、ＬＥＤ点灯制御部とメモリとを備える。ＬＥＤ点灯制御部は、サーバと各装置との対応関係情報を入力部１９から取得して、メモリに記憶する。サーバが選択されると、ＬＥＤ点灯回路は、メモリに記憶された対応関係情報に基づいて、ＬＥＤ１７−０１乃至１７−１９のいずれかを点灯させる。【選択図】  図１
2004178214.tif 000002
【特許請求の範囲】
【請求項１】
複数の装置をそれぞれの格納部に格納するラックにおいて、
前記各装置と各装置に接続されている装置が格納されている格納部との対応関係を示す対応関係情報を予め記憶する記憶手段と、
前記記憶手段に記憶されている対応関係情報に基づいて、前記複数の装置のうちで指定された装置に接続されている装置の格納部を表示する表示手段と、を備えた、
ことを特徴とするラック。
【請求項２】
前記表示手段は、
前記各格納部に対応する表示部と、
前記記憶手段に記憶されている対応関係情報に基づいて、前記複数の装置のうちで指定された装置に接続されている装置の格納部を表示させるように前記表示部を制御する表示制御部と、からなるものである、
ことを特徴とする請求項１に記載のラック。
【請求項３】
前記表示部は、各格納部に対応する位置に配置されたものである、
ことを特徴とする請求項２に記載のラック。
【請求項４】
前記表示制御部は、前記表示部の表示制御を、前記格納部に格納されている装置を指定する指定情報に連動させるように構成されたものである、
ことを特徴とする請求項２又は３に記載のラック。
【発明の詳細な説明】
【０００１】
【発明の属する技術分野】
本発明は、ラックに関する。
【０００２】
【従来の技術】
複数の装置を搭載することが可能なラックがある。このラックには、例えば、複数のサーバと各サーバに接続される複数の装置とが搭載される。このように、多種多様な電子機器をラックに搭載することにより、省スペース化が図られる。
【０００３】
ラックには、同じ機能を有する装置が複数搭載され、それぞれの装置が異なるサーバに接続される場合もあるし、１つの装置が複数のサーバに接続されて、複数のサーバが１つの装置を共用する場合もある。
【０００４】
このようなラックにおいて、サーバに記憶されているデータをバックアップする場合、あるいは、無停電電源装置のバッテリを交換する場合、各サーバと各装置との接続関係を判別する必要がある。
【０００５】
しかし、ラックを正面から見ただけでは、各サーバと各装置との接続関係を判別することはできない。このため、上記作業を行うためには、各装置を接続したときにオペレータが接続関係を記憶するか、あるいは、作業時にラックの背面のケーブル接続を確認する必要がある。
【０００６】
一方、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）のシステムにおいて、各ディスク装置に対応するＬＥＤ（Ｌｉｇｈｔ  Ｅｍｉｔｔｉｎｇ  Ｄｉｏｄｅ）を点灯制御することにより、ディスク装置、ディスク筐体の番号等を特定できるようにしたものがある（例えば、特許文献１参照）。
【０００７】
【特許文献１】
特開平０９−３３０１８４号公報（第７頁乃至第９頁、図２）
【０００８】
【発明が解決しようとする課題】
しかし、ラックでは、搭載される各装置に各装置の接続関係を表示するための表示装置があるとは限らない。また、ラックに搭載される各装置は完成した製品であるため、上記システムとは異なり、各装置に表示素子を取り付けたり、各装置の回路を変更したりすることも難しい。
【０００９】
本発明は、このような従来の問題点に鑑みてなされたもので、搭載された各装置の接続関係を容易に判別することが可能なラックを提供することを目的とする。
【００１０】
【課題を解決するための手段】
この目的を達成するため、本発明の第１の観点に係るラックは、
複数の装置をそれぞれの格納部に格納するラックにおいて、
前記各装置と各装置に接続されている装置が格納されている格納部との対応関係を示す対応関係情報を予め記憶する記憶手段と、
前記記憶手段に記憶されている対応関係情報に基づいて、前記複数の装置のうちで指定された装置に接続されている装置の格納部を表示する表示手段と、を備えたものである。
【００１１】
前記表示手段は、
前記各格納部に対応する表示部と、
前記記憶手段に記憶されている対応関係情報に基づいて、前記複数の装置のうちで指定された装置に接続されている装置の格納部を表示させるように前記表示部を制御する表示制御部と、からなるものであってもよい。
【００１２】
前記表示部は、各格納部に対応する位置に配置されたものであってもよい。
【００１３】
前記表示制御部は、前記表示部の表示制御を、前記格納部に格納されている装置を指定する指定情報に連動させるように構成されたものであってもよい。
【００１４】
【発明の実施の形態】
以下、本発明の実施の形態に係るラックを図面を参照して説明する。
本実施の形態に係るラックに複数の装置を搭載した場合の一例を図１に示す。
ラック１は、サーバ１１Ａ乃至１１Ｅと、ディスプレイ１２と、サーバスイッチユニット１３と、バックアップ装置１４Ａ，１４Ｂと、ストレージ装置１５と、無停電電源装置１６Ａ，１６Ｂと、を搭載する。
【００１５】
このラック１は、ユニット毎に装置を格納することが可能なものである。このユニットは、格納される装置の最小サイズに対応する格納部である。ラック１には、ディスプレイ１２のように１つのユニットに１つの装置を格納してもよいし、サーバ１１Ａのように、サイズの大きなものは、２つのユニットに格納される。このように、格納される装置の最小サイズにユニットを対応させることにより、ラック１には、あらゆる装置を搭載することができる。
【００１６】
ラック１は、ＬＥＤ１７−０１乃至１７−１９と、表示部１８と、入力部１９と、を備える。
ＬＥＤ（Ｌｉｇｈｔ  Ｅｍｉｔｔｉｎｇ  Ｄｉｏｄｅ：発光ダイオード）１７−０１乃至１７−１９は、サーバ１１Ａ乃至１１Ｅに接続されている装置の位置を視覚的に判別できるように備えられたものであり、ラック１の各ユニットに対応した前面部に設置される。
【００１７】
表示部１８は、サーバ番号とユニット番号を表示するためのものであり、液晶ディスプレイ、ＬＥＤディスプレイ等によって構成される。表示部１８は、図２に示すように、サーバ番号を表示するためのサーバ番号表示部１８Ａと、ユニット番号を表示するためのユニット番号表示部１８Ｂとからなる。
【００１８】
入力部１９は、各情報を入力するためのものであり、図２に示すように、ボタンＡ乃至Ｆを備える。
【００１９】
ボタンＡ，Ｂは、サーバ番号表示部１８Ａの表示を切り替えるためのボタンである。
ボタンＣ，Ｄは、ユニット番号表示部１８Ｂの表示を切り替えるためのボタンである。
ボタンＥは、表示部１８に表示されたデータを選択するためのボタンである。
ボタンＦは、選択されたデータを取り消すためのボタンである。
【００２０】
ラック１は、図３に示すようなＬＥＤ点灯回路２１を備える。このＬＥＤ点灯回路２１は、ＬＥＤ１７−０１乃至１７−１９を点灯させるためのものであり、ＬＥＤ回路部２２と、スイッチ部２３と、メモリ２４と、ＬＥＤ点灯制御部２５と、からなる。
【００２１】
ＬＥＤ回路部２２は、ＬＥＤ１７−０１乃至１７−１９と、抵抗Ｒ１乃至Ｒ１９と、からなる。抵抗Ｒ１乃至Ｒ１９は、それぞれ、ＬＥＤ１７−０１乃至１７−１９の電流を制限するための抵抗である。
【００２２】
スイッチ部２３は、電圧Ｖｃの電源からＬＥＤ１７−０１乃至１７−１９に、電流を供給するためのものであり、スイッチＳＷ１乃至ＳＷ１９からなる。このスイッチＳＷ１乃至ＳＷ１９は、メカニカルスイッチでもよいし、トランジスタ等で構成されたものであってもよい。
【００２３】
スイッチ部２３のスイッチＳＷ１乃至ＳＷ１９の各一端は、電源に接続されている。抵抗Ｒ１乃至Ｒ１９の各一端は、それぞれ、スイッチＳＷ１乃至ＳＷ１９の各他端に接続されている。ＬＥＤ１７−０１乃至１７−１９のアノードは、それぞれ、抵抗Ｒ１乃至Ｒ１９の各他端に接続されている。ＬＥＤ１７−０１乃至１７−１９のカソードは接地されている。
【００２４】
各スイッチＳＷ１乃至ＳＷ１９が閉じると、電源から、それぞれ、スイッチＳＷ１乃至ＳＷ１９、抵抗Ｒ１乃至Ｒ１９を介して、ＬＥＤ１７−０１乃至１７−１９に電流が流れる。ＬＥＤ１７−０１乃至１７−１９は、電流が流れると電流量に応じた発光量で発光する。
【００２５】
メモリ２４は、図４に示すような各サーバ１１Ａ乃至１１Ｅと各ユニットとの対応関係を示す対応関係情報を記憶するためのものである。図中、○印は、サーバ１１Ａ乃至１１Ｅと接続されている装置との対応関係を、サーバ番号とユニット番号とで示したものである。例えば、サーバ番号「Ｓｅｒｖｅｒ０１」に対応するサーバはサーバ１１Ａであって、ユニット番号「Ｕｎｉｔ０２」の欄の○印は、サーバ１１Ａに接続されている装置が、ユニット番号「Ｕｎｉｔ０２」のユニットに格納されているサーバスイッチユニット１３であることを示している。
【００２６】
ＬＥＤ点灯制御部２５は、メモリ２４に記憶されている対応関係情報に基づいて、スイッチ部２３の各スイッチＳＷ１乃至ＳＷ１９の開閉を制御する。例えば、サーバ番号「Ｓｅｒｖｅｒ０１」が選択（指定）されると、図４に示すように、サーバ番号「Ｓｅｒｖｅｒ０１」のサーバとユニット番号「Ｕｎｉｔ０６」に対応する装置とが接続されている。この場合、ＬＥＤ点灯制御部２５は、スイッチＳＷ６を閉じてユニット番号「Ｕｎｉｔ０６」に対応するＬＥＤ１７−０６を点灯させる。
【００２７】
また、ＬＥＤ点灯制御部２５は、対応関係情報を入力部１９から取得してメモリ２４に書き込む。ＬＥＤ点灯制御部２５は、いずれかのサーバが選択されると、選択されたサーバのサーバ番号と、このサーバに接続されている装置に対応するユニット番号と、を表示部１８に表示させる。
【００２８】
尚、スイッチ部２３とメモリ２４とＬＥＤ点灯制御部２５とは、表示部１８、入力部１９の背面に配置される。
【００２９】
次に、本実施の形態に係るラック１における動作を説明する。
入力部１９の各ボタンＡ乃至Ｆが操作されて対応関係情報が入力されると、ＬＥＤ点灯回路２１のＬＥＤ点灯制御部２５は、この対応関係情報を入力部１９から取得する。
【００３０】
ボタンＡ，Ｂが押下されると、ＬＥＤ点灯制御部２５は、順次、サーバ番号を表示部１８に表示させる。サーバ番号「Ｓｅｒｖｅｒ０１」がサーバ番号表示部１８Ａに表示されて、ボタンＥが押下されると、サーバ番号「Ｓｅｒｖｅｒ０１」が選択される。図１に示す搭載例では、サーバ番号「Ｓｅｒｖｅｒ０１」のサーバは、サーバ１１Ａである。
【００３１】
サーバ番号「Ｓｅｒｖｅｒ０１」が選択されると、ＬＥＤ点灯制御部２５は、スイッチ部２３のスイッチＳＷ１を閉じるように制御する。スイッチＳＷ１が閉じると、電圧Ｖｃの電源から抵抗Ｒ１を介してＬＥＤ１７−０１に電流が流れ、ＬＥＤ１７−０１は発光する。
【００３２】
次に、ボタンＣ，Ｄが押下されると、ＬＥＤ点灯制御部２５は、順次、ユニット番号を表示部１８に表示させる。ユニット番号「Ｕｎｉｔ０６」が図２に示すように表示部１８に表示されて、ボタンＥが押下されると、ユニット番号「Ｕｎｉｔ０６」が選択される。
【００３３】
この状態でボタンＥが押下されると、サーバ番号「Ｓｅｒｖｅｒ０１」のサーバ１１Ａに接続されている装置のユニット番号として、ユニット番号「Ｕｎｉｔ０６」が選択される。ユニット番号「Ｕｎｉｔ０６」が選択されると、ＬＥＤ点灯制御部２５は、ＬＥＤ１７−０６が点灯するように制御する。
【００３４】
また、ＬＥＤ点灯制御部２５は、サーバ番号「Ｓｅｒｖｅｒ０１」のサーバにユニット番号「Ｕｎｉｔ０６」の装置が接続されていることを示す対応関係情報をメモリ２４に記憶する。
【００３５】
次に、ボタンＣ，Ｄ，Ｅが押下されて、ユニット番号「Ｕｎｉｔ０７」が選択されると、ユニット番号表示部１８Ｂは、ユニット番号「Ｕｎｉｔ０７」を表示する。また、ＬＥＤ点灯制御部２５は、同様に、ＬＥＤ１７−０７が点灯するように制御し、サーバ番号「Ｓｅｒｖｅｒ０１」のサーバにユニット番号「Ｕｎｉｔ０７」の装置が接続されていることを示す対応関係情報をメモリ２４に記憶する。図１に示す搭載例では、ユニット番号「Ｕｎｉｔ０６」，「Ｕｎｉｔ０７」の装置は、バックアップ装置１４Ａである。
【００３６】
尚、選択したサーバ番号、ユニット番号「Ｓｅｒｖｅｒ０１」を取り消す場合は、ボタンＦを押下する。例えば、ユニット番号表示部１８Ｂに、選択されたユニット番号「Ｕｎｉｔ０６」が表示されている場合に、ボタンＦが押下されると、ＬＥＤ点灯制御部２５は、メモリ２４からこの対応関係情報を削除する。
【００３７】
このように、入力部１９の各ボタンが操作されることにより、図４に示すような対応関係情報がメモリ２４に記憶される。
【００３８】
すべての対応関係情報がメモリ２４に記憶されて、ボタンＡ，Ｂを押下することによりサーバ番号が選択されると、ＬＥＤ点灯制御部２５は、この操作情報に基づいて、メモリ２４から対応関係情報を読み出す。そして、ＬＥＤ点灯制御部２５は、読み出した対応関係情報に基づいて、スイッチ部２３の各スイッチＳＷ１乃至ＳＷ１９の開閉を制御し、ＬＥＤ１７−０１乃至１７−１９の点灯制御を行う。
【００３９】
例えば、サーバ番号「Ｓｅｒｖｅｒ０１」が選択されると、図４に示すように、サーバ番号「Ｓｅｒｖｅｒ０１」のサーバには、ユニット番号「Ｕｎｉｔ０２」乃至「Ｕｎｉｔ０４」，「Ｕｎｉｔ０６」，「Ｕｎｉｔ０７」，「Ｕｎｉｔ１６」，「Ｕｎｉｔ１７」のユニットに格納されている装置が接続されている。
【００４０】
図１に示すように、サーバ番号「Ｓｅｒｖｅｒ０１」のサーバは、サーバ１１Ａである。また、ユニット番号「Ｕｎｉｔ０２」のユニットに格納されている装置は、サーバスイッチユニット１３である。同じように、ユニット番号「Ｕｎｉｔ０３」，「Ｕｎｉｔ０４」，「Ｕｎｉｔ０６」，「Ｕｎｉｔ０７」，「Ｕｎｉｔ１６」，「Ｕｎｉｔ１７」のユニットに格納されている装置は、それぞれサーバ１１Ａ、バックアップ装置１４Ａ、無停電電源装置１６Ａである。
ＬＥＤ点灯制御部２５は、メモリ２４から読み出した対応関係情報に基づいて、スイッチＳＷ２乃至ＳＷ４，ＳＷ６，ＳＷ７，ＳＷ１６，ＳＷ１７を閉じる。
【００４１】
例えば、スイッチＳＷ２が閉じると、電圧Ｖｃの電源から、抵抗Ｒ２を介してＬＥＤ１７−０２に電流が流れ、ＬＥＤ１７−０２が発光する。同様にして、ＬＥＤ１７−０３，１７−０４、１７−０６，１７−０７，１７−１６，１７−１７も発光する。
【００４２】
ＬＥＤ１７−０２乃至１７−０４、１７−０６，１７−０７，１７−１６，１７−１７が、図５に示すように点灯すれば、サーバ１１Ａに接続されている装置が格納されているユニットを識別できる。このため、サーバ１１Ａには、サーバスイッチユニット１３、バックアップ装置１４Ａ、無停電電源装置１６Ａが接続されていることが視覚的に判別される。
【００４３】
以上説明したように、本実施の形態によれば、メモリ２４に記憶した対応関係情報に基づいて、ＬＥＤ１７−０１乃至１７−１９のうち、選択されたサーバに接続されている装置が格納されているユニットに対応するものを点灯させるようにした。
【００４４】
従って、選択されたサーバとどの装置が接続されているのかということをラック１の正面から容易に判別することができる。このため、オペレータが接続関係を記憶する必要もないし、保守、点検作業の都度、背面のケーブル接続を確認する必要もなくなり、保守、点検作業が容易となる。
【００４５】
例えば、特定のサーバに記憶されているデータをバックアップする場合も、すぐにバックアップ作業を行うことができる。また、無停電電源装置１６Ａ又は１６Ｂのバッテリを交換する場合も、すべての装置の電源をオフせずに、作業を行うことができる。
【００４６】
また、サーバの高密度化が進んでラックに搭載された装置の数が増え、それに従って、各装置間の接続関係が複雑になったとしても、確認ミスが生じるおそれもない。
【００４７】
また、搭載される各装置に各装置の接続関係を表示するための表示装置がなくても、各装置に表示素子を取り付けたり、各装置の回路を変更したりする必要もない。
【００４８】
尚、本発明を実施するにあたっては、種々の形態が考えられ、上記実施の形態に限られるものではない。
例えば、上記実施の形態では、入力部１９でＬＥＤ１７−０１乃至ＬＥＤ１７−１９を点灯させるようにした。しかし、これに限られるものではなく、ラック１に格納されたサーバスイッチユニット１３のスイッチ操作と連動させてＬＥＤ１７−０１乃至ＬＥＤ１７−１９を点灯させることもできる。
【００４９】
その場合のＬＥＤ点灯回路２１とサーバスイッチユニット１３との構成を図６に示す。サーバスイッチユニット１３とＬＥＤ点灯回路２１のＬＥＤ点灯制御部２５とを接続するため、ラック１は、コネクタ３１Ａ，３１Ｂと、ケーブル３２と、を備える。
【００５０】
コネクタ３１Ａは、ＬＥＤ点灯回路２１側のコネクタであり、コネクタ３１Ｂは、サーバスイッチユニット１３側のコネクタであり、サーバスイッチユニット１３とコネクタ３１Ｂとは、ケーブル３２を介して接続される。コネクタ３１Ａとコネクタ３１Ｂとが接続されることにより、サーバスイッチユニット１３とＬＥＤ点灯制御部２５とが接続される。
【００５１】
サーバスイッチユニット１３には、図７に示すように、スイッチ３３Ａ乃至３３Ｅと、ＬＥＤ３４Ａ乃至３４Ｅと、が備えられている。
スイッチ３３Ａ乃至３３Ｅは、それぞれ、サーバ１１Ａ乃至１１Ｅを選択するためのものである。
【００５２】
ＬＥＤ３４Ａ乃至３４Ｅは、サーバ１１Ａ乃至１１Ｅが選択されたことを示すものである。
ＬＥＤ点灯制御部２５は、サーバスイッチユニット１３からスイッチ３３Ａ乃至３３Ｅのオンオフ情報を取得する。
【００５３】
例えば、スイッチ３３Ａが押下されると、サーバ１１Ａが選択される。この場合、図８に示すように、ＬＥＤ３４Ａが点灯する。また、ＬＥＤ点灯制御部２５は、スイッチ３３Ａが押下された情報をサーバスイッチユニット１３から取得して、メモリ２４から対応関係情報を読み出す。ＬＥＤ点灯制御部２５は、読み出した対応関係情報に基づいてスイッチ部２３を制御し、ＬＥＤ１７−０２乃至１７−０４、１７−０６，１７−０７，１７−１６，１７−１７を点灯させる。
【００５４】
また、スイッチ３３Ｂが押下されると、サーバ１１Ｂが選択される。この場合、図９に示すように、ＬＥＤ３４Ｂが点灯する。また、ＬＥＤ点灯制御部２５は、スイッチ３３Ｂが押下された情報をサーバスイッチユニット１３から取得して、メモリ２４から対応関係情報を読み出す。ＬＥＤ点灯制御部２５は、読み出した対応関係情報に基づいてスイッチ部２３を制御し、ＬＥＤ１７−０２、１７−０５乃至１７−０７，１７−１６、１７−１７を点灯させる。
【００５５】
この図８に示す点灯状態と図９に示す点灯状態とを比較してみると、サーバ１１Ａとサーバ１１Ｂとは、バックアップ装置１４Ａを共用していることが判別される。
【００５６】
このように、サーバスイッチユニット１３のスイッチ操作とＬＥＤ１７−０１乃至１７−１９の点灯とを連動させるようにすることにより、サーバ１１Ａ〜１１Ｅのいずれかを選択するだけで、選択されたサーバに接続されている装置を判別することができる。
【００５７】
また、上記実施の形態では、ラック１が各装置を横置きにするものとして説明した。しかし、ラック１は、横置きのものだけではなく、縦置きのものもある。この場合、ＬＥＤ１７−０１乃至１７−１９の設置位置は、ラック１の形状に合わせて決定される。
【００５８】
また、対応関係情報の設定方法も上記実施の形態に限定されるものではない。例えば、タッチパネル等にすべてのサーバと装置とを表示しておき、タッチパネル等から対応関係情報を入力するように構成されることもできる。
【００５９】
また、上記実施の形態では、選択されたサーバに接続されている装置を判別できるようにした。しかし、ラック１に搭載された装置、例えば、バックアップ装置が選択されるようにして、選択されたバックアップ装置に接続される装置が判別されるように表示することもできる。
【００６０】
また、表示手段は、ＬＥＤに限られるものではなく、ランプを用いてもよいし、液晶ディスプレイ、エレクトロルミネッセンス等を用いることもできる。
【００６１】
また、ラック１の前面部にＬＥＤ１７−０１乃至１７−１９を配置するのではなく、例えば、表示部１８に、すべての対応関係情報を表示させるようにすることもできる。
【００６２】
【発明の効果】
以上説明したように、本発明によれば、各装置の接続関係を容易に判別することができる。
【図面の簡単な説明】
【図１】本発明の実施の形態に係るラックに複数の装置を搭載した場合の一例を示すラックの正面図である。
【図２】図１のラックに備えられた表示部と入力部との詳細を示す説明図である。
【図３】図１のラックのＬＥＤ点灯回路の構成を示すブロック図である。
【図４】図３のメモリに記憶されている対応関係情報の一例を示す説明図である。
【図５】図４の対応関係情報に基づいてＬＥＤを点灯させた場合の一例を示す説明図である。
【図６】ＬＥＤ点灯回路の応用例を示す回路図である。
【図７】図６に示すサーバスイッチユニットの説明図である。
【図８】図６に示すＬＥＤ点灯回路の応用例に従ってＬＥＤを点灯させた場合の一例を示す説明図である。
【図９】図６に示すＬＥＤ点灯回路の応用例に従ってＬＥＤを点灯させた場合の一例を示す説明図である。
【符号の説明】
１  ラック
１１Ａ乃至１１Ｅ  サーバ
１３  サーバスイッチユニット
１７−０１乃至１７−１９  ＬＥＤ
２１  ＬＥＤ点灯回路
２３  スイッチ部
２４  メモリ
２５  ＬＥＤ点灯制御部
【図１】
2004178214.tif 000003
【図２】
2004178214.tif 000004
【図３】
2004178214.tif 000005
【図４】
2004178214.tif 000006
【図５】
2004178214.tif 000007
【図６】
2004178214.tif 000008
【図７】
2004178214.tif 000009
【図８】
2004178214.tif 000010
【図９】
2004178214.tif 000011